(57)【要約】【課題】セル苗を栽培槽に設置する作業を省力化することができ、栽培槽が軽量で持ちやすく搬送が容易であり、かつ、栽培槽への灌水を比較的長い時間間隔で間歇的に行うことで必要十分な灌水をなすことが可能な植物栽培技術を提供する。【解決手段】透水性を有する素材を用いて縦長袋状に形成された栽培用袋１４、及び栽培用袋１４の内部に入れられた保水性を有する保水材１５により構成された栽培槽１１と、保水材１５に灌水を行う灌水装置７，８とを備えた構成とする。そして、栽培槽１１にセル苗の根鉢を差し込んで栽培槽１１内で植物栽培を行う。従って、栽培槽１１が軽量であり、設置する作業の省力化、運搬性の向上が図られる。更に、保水材が多量に保水するので、灌水は間歇的に行えばよいこととなる。【選択図】          図１
2005000018.tif 000002
【特許請求の範囲】
【請求項１】
透水性を有する素材を用いて縦長袋状に形成され、植物のセル苗を挿入する苗挿入口が形成されている栽培用袋、
及び、前記栽培用袋の全長に渡る長さに形成されており、前記栽培用袋の内部に入れられた保水性を有する保水材、
により構成された栽培槽と、
前記保水材に水又は養液の灌水を行う灌水装置と、
を備えていることを特徴とする植物栽培装置。
【請求項２】
前記灌水装置は、
水平又は緩傾斜をもたせて設置された、水又は養液を通水する灌水樋と、
前記栽培槽を前記灌水樋の内部に脱着自在に固定する固定具と、
を備えていることを特徴とする請求項１記載の植物栽培装置。
【請求項３】
前記灌水装置は、
水平又は緩傾斜をもたせて設置された、水又は養液を通水する給水樋と、
前記給水樋に平行に配置された灌水樋と、
前記栽培槽を前記灌水樋の内部に脱着自在に固定する固定具と、
縦長に形成された吸水性の織布又は不織布からなる毛管給水材と、
を備えており、
前記毛管給水材は、両端が前記給水樋と前記灌水樋との樋内に垂れ下がった状態で、前記給水樋と前記灌水樋との間に掛けられていること
を特徴とする請求項１記載の植物栽培装置。
【請求項４】
前記灌水装置は、
緩傾斜がつけられた平板状の容器底面の表面に保水性シートが敷設されているとともに、前記保水性シートの表面に透水性の遮根シートが敷設された水耕栽培ベッドと、
前記水耕栽培ベッドの傾斜上方から前記保水性シートに水又は養液を供給する給液機構と、
前記水耕栽培ベッドの傾斜下方から余剰水又は余剰養液を排液する廃液機構と、
を備えていることを特徴とする請求項１記載の植物栽培装置。
【請求項５】
透水性を有する素材を用いて縦長袋状に形成され、植物のセル苗を挿入する苗挿入口が形成されている栽培用袋、
及び、前記栽培用袋の全長に渡る長さに形成されており、前記栽培用袋の内部に入れられた保水性を有する保水材、
により構成された栽培槽の、前記栽培用袋の苗挿入口に、鉢状に培土が充填された栽培槽において栽培された植物のセル苗を挿入し、
前記保水材に、水又は養液を供給することによって、前記植物のセル苗に灌水することで植物を栽培すること
を特徴とする植物栽培方法。
【請求項６】
前記保水材に水又は養液を供給する場合において、
水平又は緩傾斜をもたせて設置された、水又は養液を通水する灌水樋の内部に、固定具により、前記栽培槽を脱着自在に固定し、
前記灌水樋に水又は養液を通水し、前記栽培槽の下部を水又は養液に浸すことによって前記保水材に水又は養液を供給すること
を特徴とする請求項５記載の植物栽培方法。
【請求項７】
前記保水材に水又は養液を供給する場合において、
水平又は緩傾斜をもたせて設置された、灌水樋の内部に、固定具により、前記栽培槽を脱着自在に固定し、
前記灌水樋と平行に配置された給水樋に水又は養液を通水するとともに、
縦長に形成された吸水性の織布又は不織布からなる毛管給水材を両端が前記給水樋と前記灌水樋との樋内に垂れ下がった状態で、前記給水樋と前記灌水樋との間に掛けて、
前記毛管給水材の内部を水又は養液を毛管移動させることによって前記給水樋から前記灌水樋に水又は養液を供給し、
前記灌水樋に供給された水又は養液を前記保水材に吸収させることによって、前記保水材に水又は養液を供給すること
を特徴とする請求項５記載の植物栽培方法。
【請求項８】
前記保水材に水又は養液を供給する場合において、
緩傾斜がつけられた平板状の容器底面の表面に保水性シートが敷設されているとともに、前記保水性シートの表面に透水性の遮根シートが敷設された水耕栽培ベッドの表面に、前記栽培槽を載置して、
前記水耕栽培ベッドの傾斜上方から前記保水性シートに水又は養液を供給すること
を特徴とする請求項５記載の植物栽培装置。
【請求項９】
透水性を有する素材を用いて縦長袋状に形成され、植物のセル苗を挿入する苗挿入口が形成されている栽培用袋、及び、前記栽培用袋の全長に渡る長さに形成されており、前記栽培用袋の内部に入れられた保水性を有する保水材、により構成された栽培槽の、前記栽培用袋の苗挿入口に、鉢状に培土が充填された栽培槽において栽培された植物のセル苗を挿入し、前記保水材に、水又は養液を供給することによって、前記植物のセル苗に灌水することで栽培された植物を、前記栽培槽ごと運搬すること
を特徴とする栽培植物の輸送方法。
【請求項１０】
透水性を有する素材を用いて縦長袋状に形成され、植物のセル苗を挿入する苗挿入口が形成されている栽培用袋、及び、前記栽培用袋の全長に渡る長さに形成されており、前記栽培用袋の内部に入れられた保水性を有する保水材、により構成された栽培槽の、前記栽培用袋の苗挿入口に、鉢状に培土が充填された栽培槽において栽培された植物のセル苗を挿入し、前記保水材に、水又は養液を供給することによって、前記植物に灌水することで前記植物を成長させることにより、前記植物の根系が前記保水材の内部に形成されていることを特徴とする栽培植物固定体。
【発明の詳細な説明】
【０００１】
【発明の属する技術分野】
本発明は、野菜や花卉類のような植物を栽培する植物栽培技術に関し、特に、簡単な設備を使用して少量培土で植物を栽培する技術に関する。
【０００２】
【従来の技術】
土壌を使用せず水耕栽培により野菜や花卉類等を栽培する植物栽培方式として、従来より、ＮＦＴ（Ｎｕｔｒｉｅｎｔ  Ｆｉｌｍ  Ｔｅｃｈｎｉｑｕｅ）方式が広く行われている（例えば、非特許文献１参照）。ＮＦＴ方式は、チャネルと呼ばれる栽培ベッドの上に、養液の浅い流れを作るとともに、チャネル上に培地を付けた植物の苗を置いて栽培する方式である。
【０００３】
図１５は従来のＮＦＴ方式で使用される植物栽培装置の構成を表す模式図である。ＮＦＴ方式の植物栽培装置１００は、表面に緩勾配がつけられた平箱状に形成されたチャネル１０１を備えている。チャネル１０１の傾斜上部には、タンク１０２に貯留された養液が、ポンプ１０３によって給水管１０４を通して連続的又は間歇的に少量ずつ供給される。チャネル１０１に供給された養液は、チャネル１０１上に浅い流れを作って斜面を流下し、斜面下部から排水される。排水された養液は、タンク１０２に戻される。
【０００４】
チャネル１０１の上面には、培地１０７に植えられた植物の苗１０８が複数個並べられている。そして、培地１０７には、チャネル上を流下する養液が常時又は間歇的に供給される。植物の苗１０８の吸収により又は蒸発により養液が減少すると、フロートスイッチ１０６によりタンク１０２内の水面の低下が検出される。水面の低下が検出されると、給水装置１０５により、タンク１０２内に新たな養液が供給される。
【０００５】
このように、ＮＦＴでは養液の浅い流れを利用して灌水を行うため、培地１０７内の上部の植物の根は浸水せず、根に充分な酸素を吸収させることが可能となる。
【０００６】
【非特許文献１】
社団法人日本施設園芸協会編，「最新  養液栽培の手引き」，株式会社誠文堂新光社，１９９６年６月１５日，ｐ．８４−１０３
【０００７】
【発明が解決しようとする課題】
植物栽培においては、幼苗期には植物の苗を環境制御された育苗床で栽培した後に、苗がある程度大きな環境変化に対して耐えられる程度まで育成した段階で、各植物株間の間隔を広げるためより栽培面積が大きい本圃に定植するといった方法が広く行われている。従来のＮＦＴ方式も同様の方法が採られ、まず、幼苗期にはセルポットなどでセル苗を育苗した後に、培地１０７にこのセル苗を定植し、この培地１０７をチャネル１０１上に運んで所定の間隔で配置する。
【０００８】
一方、上記従来のＮＦＴ方式においては、通常、培地１０７としては、ロックウール培地や籾殻燻炭培地等が使用される。これらの培地１０７を使用する場合、充分な保水性を確保する必要があることから、約１０ｃｍ角のキューブに成形される。そして、培地１０７の上面に、ポットで育苗された苗１０８の根鉢が浅植で入る程度の穴をくりぬき、苗１０８を、根鉢ごと根を切らないように培地１０７に植え込む。
【０００９】
しかし、このような苗の移植作業は、苗の数が多いとかなりの時間と労力を要する作業となる。また、培地１０７は、通常は約１０ｃｍ角のキューブであることから、培地１０７が大きく重いため、培地を移動させる作業が行いにくい。従って、多数の植物株を栽培する場合において作業性が悪く、さらに改善の余地がある。
【００１０】
また、約１０ｃｍ角のキューブの培地１０７を配置するためには、チャネル１０１の幅を、その培地１０７が載る幅以上の幅に確保する必要がある。従ってチャネル１０１が大型化する。チャネル１０１が大型化すると、植物を栽培する為の圃場面積も広く確保する必要があるため、単位面積あたりの植物の生産量もチャネルの大きさによって制限されることとなる。
【００１１】
また、チャネル幅が広くなると、チャネル１０１の斜面上端に均一に灌水を行っても、斜面を流下する間に養液の流れは不均一となりやすい。従って、チャネル１０１上の場所によって、灌水される養液量が不均一となりやすく、場所により植物の成長が不均一となりやすい。
【００１２】
さらに、一般に培地１０７に使用されるロックウール培地や籾殻燻炭培地は、通常の土壌に比べると保水性は高いものの、約１０ｃｍ角のキューブであるためキューブ一個あたりの保水容量はあまり大きくない。また、培地内の孔隙が比較的大きいために培地内の水の浸潤速度が大きい。従って、気温が高い場合には、チャネル１０１上の灌水を停止すると数分程度で乾燥が始まる。従って、従来のＮＦＴ方式では、通常、灌水は連続的にポンプを運転させて行われる。そのため、灌水に要する電気代が高くなり、灌水コストがかかるという問題がある。
【００１３】
そこで、本発明の目的は、セル苗を栽培槽に設置する作業を省力化することができ、栽培槽が軽量で持ちやすく搬送が容易であり、かつ、栽培槽への灌水を比較的長い時間間隔で間歇的に行うことで必要十分な灌水をなすことが可能な植物栽培技術を提供することにある。
【００１４】
【課題を解決するための手段】
本発明に係る植物栽培装置の第１の構成は、透水性を有する素材を用いて縦長袋状に形成され、植物のセル苗を挿入する苗挿入口が形成されている栽培用袋、及び、前記栽培用袋の全長に渡る長さに形成されており、前記栽培用袋の内部に入れられた保水性を有する保水材、により構成された栽培槽と、前記保水材に水又は養液の灌水を行う灌水装置と、を備えていることを特徴とする。
【００１５】
この構成によれば、植物栽培装置により植物を栽培する場合、栽培用袋の苗挿入口にセル苗を挿入する。そして、灌水装置により保水材に水又は養液を供給する。これにより、保水材に水又は養液が保水されるとともに、セル苗の根鉢にも水又は養液が浸潤し、植物のセル苗に灌水がされる。
【００１６】
灌水が行われたとき、保水材は水又は養液を多量に吸収し保持する。そして、水又は養液の供給が停止されても、保水材はしばらくは水又は養液を保持する。従って、灌水装置による水又は養液の供給は連続的に行う必要はなく間歇的に行えばよい。
【００１７】
植物が成長すると、植物の根は伸長し、保水材の内部に侵入する。保水材の内部に侵入した植物の根は、保水材内に保水された水又は養液を吸収して利用することが可能となる。そのため、植物には安定して養水分が供給されることとなり、植物に加わる水分ストレスが大幅に緩和される。従って、植物の成長が良好となる。また、植物の根は保水材全体に渡って広がる。そのため、植物の１株あたりの根圏容積が大きくなる。従って、植物株全体が吸収する水の総量は常に安定したものとなり、植物の成長は良好となる。よって、品質のよい植物を栽培することが可能となる。
【００１８】
また、栽培用袋は縦長袋状であるため、栽培用袋の長手に並べて、複数の苗挿入口を形成することができる。これにより、一つの栽培槽で複数株の植物を栽培することが可能であり、狭い圃場面積で多くの植物株を栽培することが可能である。
【００１９】
また、栽培用袋は縦長袋状であり、栽培槽に植えられるセル苗は苗挿入口に固定されるため、植物のセル苗を植えたまま、栽培槽の一端を手でもって搬送することができる。また、栽培槽は、栽培用袋と保水材から構成されたものであり、培土が含まれないため軽量である。そのため、植物を植えた状態で栽培槽を簡単に持ち運ぶことが可能である。
【００２０】
「透水性を有する素材」としては、例えば、ワリフ、ミライフ（商標名：新日石プラスト株式会社製）などを使用することができる。特に、「透水性を有する素材」としてワリフを使用した場合、栽培用袋を薄くすることができるとともに、通気性・通水性・透根性を有しつつ軽量で高強度とすることが可能となる。従って、栽培槽の搬送時や植物の収穫時に栽培用袋が裂けるたり折れ曲がって吸着したりすることがなく、農作業の作業性が向上する。尚、「透根性」とは、植物の細根がスムーズに通り抜けることができる性質をいい、細根が通り抜けることのできる細孔が多数形成されていることを意味する。具体的には、一般的に、細根の太さは直径０．５〜１．０ｍｍ程度なので、透根性を有するためには、例えば、直径約０．３〜２．０ｍｍ程度の穴が多数あいたシート又はネットであれば透根性を有することになる。
【００２１】
また、ワリフは透根性を有するため、栽培用袋をワリフで構成すると、植物の根の成長に伴い、植物の根は栽培用袋を貫通する。そして、栽培用袋を貫通した植物の根は、灌水樋と栽培用袋との間に根圏を形成する。栽培用袋と灌水樋との間には、灌水装置により供給された水又は養液が毛管力によって保持されている。従って、植物はこの水又は養液を吸収することができる。植物が灌水樋と栽培用袋との間に形成する根圏が拡大すると、灌水樋と栽培用袋との間に保持される毛管水の量が多くなる。従って、植物の水分吸収はより安定したものとなり、植物の成長が良好となる。
【００２２】
「セル苗」とは、セルポットやプラグトレイ等で育苗された苗をいい、少量の培土に苗の根系が形成されて一体となった根鉢を形成した苗をいう。
【００２３】
「保水材」としては、保水材の底面から吸水したときに、毛管現象により保水材の上面まで水が吸い上げられる程度に毛管吸引圧の大きい素材が使用される。このような素材としては、例えば、微細ポリエステル繊維を柔軟なシート状にしたポリエステル不織布等を使用することができる。また、「遮根シート」とは、植物の根を通さないシートをいう。
【００２４】
本発明に係る植物栽培装置の第２の構成は、前記第１の構成において、前記灌水装置は、水平又は緩傾斜をもたせて設置された、水又は養液を通水する灌水樋と、前記栽培槽を前記灌水樋の内部に脱着自在に固定する固定具と、を備えていることを特徴とする。
【００２５】
この構成によれば、灌水樋の一端に、水又は灌水を供給すれば、水又は灌水は灌水樋の内部を伝って流れる。従って、固定具により栽培槽を灌水樋内部に固定することによって、栽培槽に灌水を行うことが可能となる。
【００２６】
また、灌水装置の設備構造が簡易であり、低廉なコストで設備導入することができる。従って、小規模経営農家においても、容易に導入することが可能である。
【００２７】
ここで、「固定具」としては、栽培槽を灌水樋の上端に挟んで係止することができるものであればよい。例えば、洗濯ばさみやクリップを使用することができる。
【００２８】
また、本発明においては、灌水樋に複数の前記栽培槽を並べて固定具より固定することができる。これにより、灌水樋に灌水するだけで、複数の栽培槽に同時に灌水することが可能となる。そのため、多くの栽培槽を使用して植物を栽培する場合においても、１つの灌水設備を使用して灌水を行うことができる。
【００２９】
本発明に係る植物栽培装置の第３の構成は、前記第１の構成において、前記灌水装置は、水平又は緩傾斜をもたせて設置された、水又は養液を通水する給水樋と、前記給水樋に平行に配置された灌水樋と、前記栽培槽を前記灌水樋の内部に脱着自在に固定する固定具と、縦長に形成された吸水性の織布又は不織布からなる毛管給水材と、を備えており、前記毛管給水材は、両端が前記給水樋と前記灌水樋との樋内に垂れ下がった状態で、前記給水樋と前記灌水樋との間に掛けられていることを特徴とする。
【００３０】
この構成によれば、水や養液は給水樋を通して流れ、毛管給水材により、毛管力によって給水樋から灌水樋に供給される。従って、灌水樋の長手方向に、多くの栽培槽を固定して植物の栽培を行う場合でも、それぞれの栽培槽に対して均等に灌水を行うことが可能となる。
【００３１】
また、植物の根が成長して灌水樋の底面に根圏を形成することによって、灌水樋の底部に堰ができて、灌水樋の長手方向に水や養液が流れにくくなる場合がある。このような場合でも、各栽培槽に対して均等に水又は養液を供給することが可能である。
【００３２】
ここで、毛管給水材としては、毛管力により水を吸い上げる性質を有するものであればよい。例えば、ポリエステル不織布を使用することができる。
【００３３】
本発明に係る植物栽培装置の第４の構成は、前記第１の構成において、前記灌水装置は、緩傾斜がつけられた平板状の容器底面の表面に保水性シートが敷設されているとともに、前記保水性シートの表面に透水性の遮根シートが敷設された水耕栽培ベッドと、前記水耕栽培ベッドの傾斜上方から前記保水性シートに水又は養液を供給する給液機構と、前記水耕栽培ベッドの傾斜下方から余剰水又は余剰養液を排液する廃液機構と、を備えていることを特徴とする。
【００３４】
この構成によれば、給液機構によって、水耕栽培ベッドの傾斜上方から保水シートに水又は養液が供給されると、供給された水又は養液は斜面下方に向かって移動し、保水シート全体に水又は養液が広がる。そして、保水シート全体に水又は養液が保水される。保水シートに保水された水又は養液は、毛管力により、保水シート内の水又は養液は、遮根シートの上面に載置された栽培槽に吸い上げられ、栽培槽に水又は養液が供給される。一方、保水性シートの保水容量を超える余剰水又は余剰養液は、斜面の下方から廃液機構によって廃液される。そのため、水耕栽培ベッド上に過剰な灌水が溢れることが防止される。
【００３５】
このように、水耕栽培ベッドは、保水材に水又は養液を保水することが可能であるため、ＮＦＴのように、常に連続して水又は養液を供給する必要はなく、間歇的に水又は養液を供給すればよい。従って、灌水管理が容易であり、電気代や水道代等の灌水コストも低廉となる。
【００３６】
ここで、「給液機構」としては、点滴灌水管等を使用することができる。
【００３７】
本発明に係る植物栽培方法の第１の構成は、透水性を有する素材を用いて縦長袋状に形成され、植物のセル苗を挿入する苗挿入口が形成されている栽培用袋、及び、前記栽培用袋の全長に渡る長さに形成されており、前記栽培用袋の内部に入れられた保水性を有する保水材、により構成された栽培槽の、前記栽培用袋の苗挿入口に、鉢状に培土が充填された栽培槽において栽培された植物のセル苗を挿入し、前記保水材に、水又は養液を供給することによって、前記植物のセル苗に灌水することで植物を栽培することを特徴とする。
【００３８】
このように、上記栽培槽を使用して植物のセル苗を栽培することにより、上述のように、植物を安定して成長させ、高品質の植物を生産することが可能となる。
【００３９】
また、栽培槽に植物のセル苗を挿入し、保水材に水又は養液を供給することによって、前記植物のセル苗に灌水することで、多量の培土を使用することなく植物の栽培を行うことが可能となる。従って、栽培槽を軽量化できる。また、栽培用袋は縦長袋状であるため、栽培槽の運搬が容易である。
【００４０】
また、栽培槽自体が軽量であるため、栽培した植物を、栽培槽ごと根付きもまま市場に出荷することができる。従って、植物の輸送時の鮮度保持が容易となり、高品質の植物を市場に供給することが可能となる。
【００４１】
本発明に係る植物栽培方法の第２の構成は、前記第１の構成において、前記保水材に水又は養液を供給する場合において、水平又は緩傾斜をもたせて設置された、水又は養液を通水する灌水樋の内部に、固定具により、前記栽培槽を脱着自在に固定し、前記灌水樋に水又は養液を通水し、前記栽培槽の下部を水又は養液に浸すことによって前記保水材に水又は養液を供給することを特徴とする。
【００４２】
本発明に係る植物栽培方法の第３の構成は、前記第１の構成において、前記保水材に水又は養液を供給する場合において、水平又は緩傾斜をもたせて設置された、灌水樋の内部に、固定具により、前記栽培槽を脱着自在に固定し、前記灌水樋と平行に配置された給水樋に水又は養液を通水するとともに、縦長に形成された吸水性の織布又は不織布からなる毛管給水材を両端が前記給水樋と前記灌水樋との樋内に垂れ下がった状態で、前記給水樋と前記灌水樋との間に掛けて、前記毛管給水材の内部を水又は養液を毛管移動させることによって前記給水樋から前記灌水樋に水又は養液を供給し、前記灌水樋に供給された水又は養液を前記保水材に吸収させることによって、前記保水材に水又は養液を供給することを特徴とする。
【００４３】
本発明に係る植物栽培方法の第４の構成は、前記第１の構成において、前記保水材に水又は養液を供給する場合において、緩傾斜がつけられた平板状の容器底面の表面に保水性シートが敷設されているとともに、前記保水性シートの表面に透水性の遮根シートが敷設された水耕栽培ベッドの表面に、前記栽培槽を載置して、前記水耕栽培ベッドの傾斜上方から前記保水性シートに水又は養液を供給することを特徴とする。
【００４４】
本発明に係る栽培植物の輸送方法は、透水性を有する素材を用いて縦長袋状に形成され、植物のセル苗を挿入する苗挿入口が形成されている栽培用袋、及び、前記栽培用袋の全長に渡る長さに形成されており、前記栽培用袋の内部に入れられた保水性を有する保水材、により構成された栽培槽の、前記栽培用袋の苗挿入口に、鉢状に培土が充填された栽培槽において栽培された植物のセル苗を挿入し、前記保水材に、水又は養液を供給することによって、前記植物のセル苗に灌水することで栽培された植物を、前記栽培槽ごと運搬することを特徴とする。
【００４５】
これにより、植物の輸送中に保水材を水で湿らせておけば、輸送中に植物の鮮度を保持することができる。従って、栽培した植物を市場に出荷する場合の流通過程における鮮度管理が極めて容易となる。また、根付きのまま市場に出荷できるため、植物の商品価値を上げることができる。
【００４６】
本発明に係る栽培植物固定体は、透水性を有する素材を用いて縦長袋状に形成され、植物のセル苗を挿入する苗挿入口が形成されている栽培用袋、及び、前記栽培用袋の全長に渡る長さに形成されており、前記栽培用袋の内部に入れられた保水性を有する保水材、により構成された栽培槽の、前記栽培用袋の苗挿入口に、鉢状に培土が充填された栽培槽において栽培された植物のセル苗を挿入し、前記保水材に、水又は養液を供給することによって、前記植物に灌水することで前記植物を成長させることにより、前記植物の根系が前記保水材の内部に形成されていることを特徴とする。
【００４７】
この構成によれば、栽培植物固定体には培土が含まれていないため、栽培槽自体は極めて軽量である。従って、栽培植物固定体の重量の殆どは植物株の重量であり、軽量である。従って、植物を栽培した後に出荷する場合、植物を栽培槽から切り離すことなく、栽培植物固定体ごと輸送することも容易に行うことができる。そして、輸送中には保水材を水で湿らせておけば、植物株を根付きのまま鮮度を保持しながら輸送することができる。
【００４８】
【発明の実施の形態】
以下、本発明の一実施形態について、図面を参照しながら説明する。
（実施形態１）
図１は本発明の実施形態１に係る植物栽培装置の斜視図である。本実施形態の植物栽培装置１は、地面垂直に立てられた複数本の支柱２ａの間に、上下に２本の梁２ｂ，２ｃが渡された架台２を有している。この架台２の上下の梁２ｂ，２ｃには、それぞれ、フック３により灌水樋４，５が略水平乃至僅かに緩傾斜がつけられた状態で吊り下げられている。
【００４９】
上側の灌水樋４の一端４ａの底部には、排水口（図示せず）が形成されている。そして、この排水溝に連通して、垂直に排水管６が接続されている。排水管６の下端は、下側の灌水樋５の一端５ａ側の樋内に開口するように配置されている。灌水樋４，５が緩傾斜をつけて設置されている場合には、上側の灌水樋４は、排水管６が接続されている側が低くなるようにし、下側の灌水樋５は、排水管６が配置されている側が高くなるように設置されている。
【００５０】
上側の灌水樋４の他端４ｂ側には、樋内に給水管７が挿入されており、この給水管７を通して、樋４の他端４ｂ側に、灌水ポンプ８により、タンク９内の養液が供給される。一方、下側の灌水樋５の他端５ｂ側には、樋の底部に排水口（図示せず）が形成されている。そして、この排水口に連通して、排水管１０が接続されており、灌水樋５内の水又は養液をタンク９に排水する。尚、灌水ポンプ８は、タイマー（図示せず）によって、一定時間ごとに間歇的に運転するように構成されている。
【００５１】
各灌水樋４，５に沿って、各樋内の一側面に、複数の栽培槽１１が固定具１２，１２により両端を固定して設置されている。この栽培槽１１は縦長袋状であり、複数の植物のセル苗１３が植えられている。
【００５２】
図２は栽培槽１１が設置された灌水樋４，５の断面図、図３は栽培槽１１の斜視図である。栽培槽１１は、ワリフを用いて縦長袋状に形成された栽培用袋１４と、栽培用袋１４の内部に入れられたポリエステル不織布により構成された保水材１５とを有している。本実施形態では、栽培用袋１４のサイズは、縦約６０ｃｍ×幅約１０ｃｍ程度に形成されている。また、栽培用袋１４には、植物のセル苗１３を挿入する苗挿入口１４ａが、所定の間隔をあけて複数個形成されている。一方、保水材１５は、栽培用袋１４の全長に渡る長さに形成されている。
【００５３】
そして、この苗挿入口１４ａから、セル苗１３の葉茎１３ｂが袋外に出るようにして、セル苗１３の根鉢１３ａが挿入されている。根鉢１３ａは保水材１５に接触している。
【００５４】
尚、実際には、灌水樋４，５としては、一般家庭で使用される屋根樋を利用することができる。従って、設備費も非常に低廉であり、小規模農家であっても容易に導入することが可能である。
【００５５】
以上のように構成された本実施形態に係る植物栽培装置において、以下その植物栽培方法について説明する。
【００５６】
まず、プラグトレイやセルポットなどにより植物の幼苗を育苗しセル苗１３を作る。図４はプラグトレイにおいて植物の幼苗を育苗している状態を表す図、図５はセル苗をプラグトレイから取り出した図である。プラグトレイとは、小さい四角錐または円錐状に整形された連結ポットのことである。このプラグトレイのポット内に、ピートモスなどの用土を入れて育苗する。
【００５７】
図５から分かるように、セル苗１３は、プラグトレイのポット形状に合わせて楔状に形成された根鉢１３ａ、及び植物の葉茎１３ｂとからなる。ここで、「根鉢」とは、植物をプラグトレイからとり出したときに、根と根のまわりについている用土により形成される塊をいう。幼苗が十分に成長すると、ポット内の用土全体に植物の根圏が形成され、植物の根によって用土がしっかりとした塊状となり、崩れにくい根鉢ができる。
【００５８】
次に、このセル苗１３を、図３に示したように、栽培用袋１４の苗挿入口１４ａに差し込む。尚、苗挿入口１４ａは、一つの栽培用袋１４に対して複数個設けられており、それぞれの苗挿入口１４ａにセル苗１３を一つずつ差し込む。
【００５９】
そして、このセル苗１３が差し込まれた栽培用袋１４を運搬し、図１，図２に示したように、灌水樋４，５に装着する。栽培用袋１４の装着は、まず、図２のように、灌水樋４，５の一側壁に栽培用袋１４をもたせかけるように置いた後に、栽培用袋１４の上部両端を灌水樋４，５の上端に固定具１２により固定する。尚、本実施形態においては、固定具１２としては、洗濯ばさみを使用している。
【００６０】
このように、本実施形態では、栽培槽１１は、栽培用袋１４にセル苗１３を差し込んだのみの構成からなるため、培土量が極めて少量である。また、従来のＮＦＴ方式の培地に比べると、容量・重量ともに各段に小さくなり、極めて軽量で持ち運びが容易である。更に、複数のセル苗１３が一つの栽培用袋１４に連ねて差し込まれていることから、多くの植物の株を運搬するのも効率的である。加えて、栽培用袋１４の形状は、縦長袋状であるため、持ち運びやすい形状であり、この栽培用袋１４の形状も、栽培槽１１の運搬を容易にする要因の一つである。
【００６１】
栽培用袋１４の装着が終わった後に、灌水ポンプ８により、灌水樋４，５に、タンク９に貯留された水又は養液を循環させる。このとき、灌水ポンプ８は、タイマーにより、一定時間おきに間歇的に運転される。例えば、２５分間停止して５分間運転するというように運転する。
【００６２】
給水管７から灌水樋４の端４ｂに給水された水又は養液は、灌水樋４のもう一方の端４ａに向かって流れる。水又は養液は、灌水樋４の端４ａに到達すると、排水管６を通って、灌水樋５の端５ａに流入する。そして、灌水樋５の樋内を端５ｂまで流れる。灌水樋５の端５ｂに到達した水又は養液は、排水管１０を通ってタンク９内に戻る。このようにして、水又は養液が灌水樋４，５内を循環される。
【００６３】
灌水樋４，５を流れる水又は養液は、図２に示したように、栽培用袋１４内にある保水材１５に吸収され、保水材１５内に保水される。保水材１５は、ポリエステル不織布により構成されており、保水材１５に吸収された水又は養液は、毛管力によって保水材１５全体に広がる。また、水又は養液の一部は根鉢１３ａの内部にも浸潤し、植物の根への灌水が行われる。
【００６４】
灌水ポンプ８が停止して、灌水樋４，５の底部に水又は養液の流れがなくなっても、保水材１３ａは、毛管水として水又は養液を保持する。そのため、灌水ポンプ８の停止後、長時間に渡って根鉢１３ａには灌水され続ける。従って、灌水ポンプ８は連続的に運転する必要はなく、一定時間おきに間歇的に運転するだけでよい。これにより、灌水ポンプ８の運転に要する電気を節約することができる。
【００６５】
植物が生育すると、植物の根系は、根鉢１３ａから保水材１５の内部に広がっていく。そして、植物の根は、保水材１５の内部に保水された水又は養液を直接吸収することができるようになる。また、植物の根圏が保水材１５の内部に広がることによって、植物１株あたりの根圏容積が拡大する。これにより、植物への水又は養液の供給が安定化する。更に、栽培用袋１４は、透根性を有するワリフであるため、植物の根は栽培用袋１４を突き抜けて栽培用袋１４と灌水樋４，５との間の空間に根系を形成することもできる。このように、植物への水又は養液の供給が安定化することによって、植物にかかる水分ストレスが緩和され、植物の生長は良好となる。
【００６６】
また、栽培槽１１は、従来のＮＦＴ方式で使用されていたキューブ状の培地に比べると幅が狭い。従来のＮＦＴ方式で使用されていたキューブ状の培地は、通常１０ｃｍ角のキューブ状のものが使用されるため、広いチャネル幅を必要とした。その結果、チャネル上を流れる灌水量にムラが生じ、植物の生育にばらつきが出るという問題があった。一方、本実施形態の植物栽培槽１１は、長さ約６０ｃｍ×幅約１０ｃｍである。そして、灌水樋４，５には、図２のように立てた状態で設置される。従って、チャネルに相当する灌水樋４，５の幅は数センチ程度あれば十分である。従って、装置の設置に広いスペースを必要としない。そして、灌水樋４，５の幅が狭いことから灌水の流れに不均一性が生じることがないため、各栽培槽１１には均一に灌水できる。その結果、各栽培槽１１においてムラなく植物を育成させることができる。
【００６７】
植物が収穫するのに十分なまで生育した段階で、固定具１２を取り外して栽培用槽１１を灌水樋４，５から取り外す。これにより、栽培槽１１ごと植物を収穫することができる。栽培槽１１は、ワリフからなる栽培用袋１４とポリエステル不織布である保水材１５とからなるものであるため、極めて軽量である。また、植物株は、セル苗１３を栽培用袋１４に差し込んで生育させたものであるため、栽培用袋１４内に残る培土の量は極めて少量である。故に、栽培槽１１及び培土の重量は軽量である。従って、運搬が容易であり収穫作業も省力化される。
【００６８】
また、植物を市場に出荷する場合には、栽培槽１１から植物を切り離してから出荷してもよいが、栽培槽１１ごと市場に出荷することもできる。これにより、栽培された植物は根がついたまま運搬されることになる。また、栽培槽１１内には保水材１５が入っているため、植物の輸送中に保水材１５を水で湿らせておけば、輸送中に植物の鮮度を保持することができる。従って、市場に出荷する場合の流通過程における鮮度管理が極めて容易となる。
【００６９】
（実施形態２）
図６は本発明の実施形態２に係る植物栽培装置の構成を表すブロック図である。
【００７０】
本実施形態に係る植物栽培装置２０は、実施形態１で説明した、架台２、灌水樋４，５、排水管６、栽培槽１１等で構成される栽培棚を複数個有する構成とされている。図６においては、説明の便宜上、栽培棚の数が６個の場合を図示している。
【００７１】
各栽培棚の灌水樋４には、給水管２１を通して、灌水ポンプ８によりタンク９に貯留された水又は養液が供給される。給水管２１は、灌水ポンプ８の下流側で、栽培棚と同数の支管に分岐している。分岐した各支管には、電磁開閉弁２２ａ〜２２ｆが設けられている。この電磁開閉弁２２ａ〜２２ｆを開閉することにより、水又は養液を各支管に通水させるか否かを切り替えることができる。尚、以下では、説明の便宜上、電磁開閉弁２２ａ〜２２ｆに対応する栽培棚を、栽培棚２５ａ〜２５ｆと呼ぶことにする。
【００７２】
また、各栽培棚の灌水樋５の下流側端部（すなわち、排水管６がある端部とは反対の側）には、排水管２３が接続されている。この排水管２３により、各栽培棚５を流れた水又は養液がタンク９に排水される。灌水ポンプ８及び各電磁開閉弁２２の動作は、リレーなどにより構成された制御回路２４により制御される。
【００７３】
以上のように構成された本実施形態の植物栽培装置について、以下その動作を説明する。
【００７４】
まず、制御回路２４は、電磁開閉弁２２ａを開弁するとともに、灌水ポンプ８を起動する。これにより、タンク９内の水又は養液により、栽培棚２５ａが灌水される。電磁開閉弁２２ａを開弁してから所定の時間Ｔ（例えば、Ｔ＝５分）が経過した後、制御回路２４は、電磁開閉弁２２ｂを開弁するとともに、電磁開閉弁２２ａを閉止する。これにより、栽培棚２５ｂの灌水が開始されるとともに栽培棚２５ａへの灌水が停止される。
【００７５】
以下同様に、電磁開閉弁２２ｂを開弁してから所定の時間Ｔが経過した後、制御回路２４は、電磁開閉弁２２ｃを開弁するとともに、電磁開閉弁２２ｂを閉止する、というように、順次、電磁開閉弁２２ｂ〜２２ｆを所定の時間Ｔだけ開弁させていく。
【００７６】
最後に、電磁開閉弁２２ｆが開弁されてから所定の時間Ｔが経過した後に、制御回路２４は、電磁開閉弁２２ａを開弁するとともに、電磁開閉弁２２ｆを閉止する。そして、最初の動作に戻る。
【００７７】
このように、制御回路２４は、ポンプ８を連続運転させたまま、電磁開閉弁２２ａ〜２２ｆの開閉を所定の時間ごとに切り替えていくことにより、１つの小出力の灌水ポンプ８が１つあれば、多数の栽培棚の灌水を行うことが可能となる。従って、多くの植物を栽培する場合でも設備が簡易となりメンテナンスが簡便となるとともに、設備コストが低廉となる。
【００７８】
（実施形態３）
図７は本発明の実施形態３に係る植物栽培装置の斜視図、図８は栽培槽及び給水樋が設置された灌水樋の断面図である。
【００７９】
図７において、架台２、支柱２ａ、梁２ｂ，２ｃ、フック３、灌水樋４，５、給水管７、灌水ポンプ８、タンク９、排水管１０、栽培槽１１、及び固定具１２は図１と同様のものである。本実施形態に係る植物栽培槽１’においては、灌水樋４，５に平行に、給水樋３１，３２が設置されている。そして、給水樋３１と灌水樋４との間、及び給水樋３２と灌水樋５との間には、シート状の毛管給水材３３が掛けられている。
【００８０】
また、本実施形態においては、タンク９内の水又は養液を給水するための給水管７の出水口は、給水樋３１の一端３１ｂの樋内に開口するように配置されている。また給水樋３１の他端３１ａの底部には、排水管６’が接続されている。この排水管６’の下端は、給水樋３２の端部３２ａの樋内に開口している。また、排水管１０は、給水樋３２の一端に接続されており、給水樋３２を流れた水又は養液をタンク９に排水する。
【００８１】
毛管給水材３３は、縦長に形成された吸水性の織布又は不織布からなる。そして、毛管給水材３３は、その両端が給水樋３１，３２と灌水樋４，５との樋内に垂れ下がった状態で、給水樋３１，３２と灌水樋４，５との間に掛けられている。
【００８２】
以上のように構成された本実施形態に係る植物栽培装置について、以下その作用を説明する。
まず、灌水ポンプ８は、実施形態１と同様に、一定時間おきに間歇的に作動する。そして、灌水ポンプ８は、タンク９内の水又は養液を給水樋３１内に供給する。給水樋３１に供給された水又は養液は、給水樋３１の端３１ｂから端３１ａに向かって流れる。端３１ａに到達した水又は養液は、排水管６’を通って、給水樋３２の端３２ａに供給される。そして、水又は養液は給水樋３２の端３２ａから端３２ｂに向かって流れる。最後に、端３２ｂに到達した水又は養液は、排水管１０を通して排水され、タンク９内に戻される。このようにして、タンク９内の水又は養液は、給水樋３１，３２内を循環する。
【００８３】
給水樋３１，３２内を流れる水又は養液の一部は、毛管給水材３３に吸収される。毛管給水材３３に吸収された水又は養液は、毛管力により図８の矢印で示した方向に移動する。すなわち、毛管給水材３３に沿って、給水樋３１，３２内から灌水樋４，５内へ水又は養液が移動する。そして、灌水樋４，５内に溜まった水又は養液は、栽培槽１１内の保水材５に給水され、植物への灌水が行われる。
【００８４】
このように、灌水樋４，５とは別に給水樋３１，３２を設けたのは、以下のような理由による。仮に、給水樋３１，３２がない場合、植物が生長すると、植物の根が広がって、ワリフからなる栽培用袋１４を貫通して灌水樋４，５の底部に広がることがある。このような場合、灌水樋４，５の幅が狭いと、灌水樋４，５の底部に広がった根が堰となり、水又は養液が灌水樋４，５内を流れにくくなる。灌水樋４，５内に水溜まりのようなものが形成された場合、その水溜まりに浸水した植物の根が根腐れを起こしたり、藻が発生しやすくなったりする。
【００８５】
一方、本実施形態に係る植物栽培装置１’では、水又は養液は給水樋３１，３２を流れるため、成長した植物の根により水又は養液の流れが堰き止められるようなことがない。また、水又は養液は、各毛管給水材３３を通して直接各栽培槽１１内の植物の近傍に供給されるため、各栽培槽１１内の植物へは均等に灌水が行われる。従って、栽培槽１１の位置によって植物の成長にムラが生じることがなくなる。
【００８６】
（実施形態４）
図９は本発明の実施形態４に係る植物栽培装置の模式図である。
図９において、給水管７、灌水ポンプ８、タンク９、排水管１０、栽培槽１１、セル苗１３、根鉢１３ａ、葉茎１３ｂ、栽培用袋１４、及び保水材１５は、図１、図２と同様のものである。本実施形態に係る植物栽培装置１”は、緩傾斜がつけられた平板状の容器４１底面の表面に保水性シート４２が敷設されているとともに、この保水性シート４２の表面に透水性の遮根シート４３が敷設された水耕栽培ベッド４０を備えている。
【００８７】
本実施形態においては、保水性シート４２として、厚さ１〜２ｃｍのポリエステル不織布が使用されている。また、遮根シート４３は、栽培される植物の根が通らない程度の網目を有する織布が使用されている。給水管７の出水口は、水耕栽培ベッド４０の斜面上部に開口している。これにより、タンク９内の水又は養液は、灌水ポンプ８によって水耕栽培ベッド４０の斜面上部に供給される。
【００８８】
水耕栽培ベッド４０の斜面下部側には、排水口４１ａが形成されており、この排水溝４１ａの下部に排水樋４４が設けられている。排水樋４４には排水管１０が接続されている。これにより、水耕栽培ベッド４０内を流れ下った水又は養液は、排水口４１ａを通って排水樋４４に流入し、排水管１０を通ってタンク９内に戻される。
【００８９】
以上のように構成された本実施形態に係る植物栽培装置１”において、以下その作用を説明する。
まず、実施形態１において説明したように、栽培槽１１の栽培用袋１４に、植物のセル苗１３を差し込んで、これを水耕栽培ベッド４０の遮根シート４３上に並べて載置する。そして、実施形態１と同様に、灌水ポンプを間歇的に動作させ、水耕栽培ベッド４０の斜面上端から保水性シート４１に水又は養液を供給する。
【００９０】
保水性シート４１に供給された水又は養液は、保水性シート４１全体に浸潤して広がっていく。そして、その一部は、毛管水として保水性シート４１内に保水される。また、保水性シート４１の保水容量を上回る水又は養液は、斜面下方の排水口４１ａから排水され、タンク９に戻される。
【００９１】
保水性シート４１内に保水された水又は養液は、毛管力によって遮根シート４３を通して各栽培槽１１に供給される。そして、各栽培槽１１内の保水材１５に保水されると共に、セル苗１３に供給され、灌水が行われる。
【００９２】
ここで、本実施形態の水耕栽培ベッド４０と従来のＮＦＴ方式で使用されるチャネルとの差異について説明しておく。従来のＮＦＴ方式のチャネルは、保水性シートを介さず、チャネル表面に水や養液の浅い流れを作って、キューブ状の各培地に直接灌水を行う構成をとる。従って、灌水を停止すると、チャネル表面からは速やかに灌水がなくなり、各培地に植えられた植物はその培地内に保水された水又は養液しか利用できなくなる。従って、通常は、従来のＮＦＴ方式では、常時チャネル上に灌水を供給し続けるのが一般的である。
【００９３】
また、従来のＮＦＴ方式では、チャネル上に藻が発生して凹凸ができたり、他の障害物が載った場合、灌水の流れが不均一となり、各培地に均等に灌水が行われない事態が生じる場合がある。その結果、各植物の生育にばらつきが生じやすい。
【００９４】
一方、本実施形態に係る水耕栽培ベッド４０は、供給された水を、一旦保水性シート４２内に保水する。従って、水耕栽培ベッド４０への灌水を停止しても、しばらくの間（数十分程度）は、多量の水又は養液が保水性シート４２内に保水された状態が維持される。そして、この保水性シート４２内に保水された水又は養液が、毛管力によって逐次適量ずつ栽培槽１１に供給される。従って、灌水は常時連続して行う必要はなく、間歇的に灌水を行えばよい。また、植物に対して過剰な灌水が行われることがない。更に、植物の根の周辺は、毛管移動による水流は生じるが、大きな水流は生じない。すなわち、植物の根が水で洗われることがない。従って、植物の根圏は極めて安定した環境が保たれることとなり、根圏領域における微生物の活動も活発となる。その結果、植物の生育が活性化され、高品質の植物を栽培することが可能となる。
【００９５】
また、保水性シート４２の斜面上端に供給された水又は養液は、毛管現象によって保水性シート４２全体に浸潤する。そのため、保水性シート４２全体に渡って均一な灌水が行われることとなり、各植物には均等に水又は養液が供給される。従って、植物の生長は均一化し、植物の生長にムラが生じることがなくなる。
【００９６】
【実施例】
（実施例１）
図１０は本発明の実施形態１に係る植物栽培装置をビニルハウス内に設置した例を表す図である。このように、植物栽培装置自体は少ないスペースに設置できるため、ビニルハウス内の空いた狭い場所であっても、設置することが可能である。
【００９７】
図１１は灌水樋に栽培槽を固定した例を表す図である。栽培槽自体が軽量であり柔軟に変形するため、灌水樋に合わせて載置して、洗濯ばさみのような固定具により、灌水樋の側壁に固定するだけで設置することができる。
【００９８】
図１２は図１０の植物栽培装置において栽培したサラダナを表す図、図１３は図１０の植物栽培装置において栽培したサンチュを表す図である。
【００９９】
図１２，図１３からわかるように、いずれも市場に出荷できる程度に十分な大きさ、品質の野菜を栽培することが可能であることが実証された。また、図１２，１３のように固定具をはずして栽培槽を手で摘み上げるだけで野菜を収穫できるため、収穫作業が極めて効率化される。そして、この栽培槽が付いたままで野菜を出荷すれば、流通における野菜の鮮度保持が極めて容易となる。
【０１００】
更に、図１３から分かるように、一つの栽培槽に複数のサンチュを植えた場合、各サンチュの根圏は保水材全体に広がることが分かる。そのため、各植物株の生育は、極めて安定化する。
【０１０１】
（実施例２）
図１４は本発明の実施形態４に係る植物栽培装置でサラダナを栽培している様子を表す図である。この装置でサラダナの栽培実験を行った結果、市場に出荷できる程度に十分な大きさ、品質のサラダナを栽培することが可能であることが実証された。
【０１０２】
【発明の効果】
以上のように、本発明によれば、縦長透水性の栽培用袋と保水材とからなる栽培槽を使用するので、セル苗を栽培槽に設置する作業を省力化することができ、栽培槽が軽量で持ちやすく搬送が容易であり、かつ、栽培槽への灌水を比較的長い時間間隔で間歇的に行うことで必要十分な灌水をなすことが可能となる。
【０１０３】
また、本発明に係る栽培植物の輸送方法によれば、栽培した植物を市場に出荷する場合の流通過程における鮮度管理が極めて容易となる。また、根付きのまま市場に出荷できるため、植物の商品価値を上げることができる。
【０１０４】
更に、本発明に係る栽培植物固定体によれば、輸送中には保水材を水で湿らせておけば、栽培した植物株を根付きのまま鮮度を保持しながら出荷することができる。そして、例えば、栽培農家で野菜や花卉類を栽培した後に、小売店や飲食店に栽培植物固定体を運搬し、小売店や飲食店内で継続して野菜や花卉類を栽培することができる。従って、小売店や飲食店で、その場でとりたての野菜を提供することが可能となる。
【０１０５】
尚、栽培植物固定体の用途としては、例えば、レストランにおけるバイキング等において、水の入ったトレイ内に十分に洗浄した栽培植物固定体を置き、これをテーブル上に載せて、客が各自で野菜を摘み取ってそのまま食するような利用方法が考えられる。また、スーパー等の生鮮食料品売場に、十分に洗浄した栽培植物固定体を展示し販売する利用方法が考えられる。
【０１０６】
更に、植物がトルコギキョウ等の花卉類の場合、生花店などにおいて栽培植物固定体を展示し、顧客の注文に応じてその場で摘み取って販売することができる。特に、従来より、花卉類は農家で摘み取った状態で流通され、生花店等の店頭で販売されていたため、鮮度が低下するまでの時間が短く、鮮度保持のため冷暗所に保存する等、管理が難しかった。しかし、本発明によれば、花卉類を容易に根付きもまま搬送することが可能であるため、生花店に花卉類を根付きのまま出荷し、生花店で継続して花卉類の栽培を行うことが可能である。従って、生花店において花卉類の鮮度を長く保持することが可能であり、従来に比べて管理も容易となる。
【図面の簡単な説明】
【図１】本発明の実施形態１に係る植物栽培装置の斜視図である。
【図２】栽培槽が設置された灌水樋の断面図である。
【図３】栽培槽の斜視図である。
【図４】プラグトレイにおいて植物の幼苗を育苗している状態を表す図である。
【図５】セル苗をプラグトレイから取り出した図である。
【図６】本発明の実施形態２に係る植物栽培装置の構成を表すブロック図である。
【図７】本発明の実施形態３に係る植物栽培装置の斜視図である。
【図８】栽培槽及び給水樋が設置された灌水樋の断面図である。
【図９】本発明の実施形態５に係る植物栽培装置の模式図である。
【図１０】本発明の実施形態１に係る植物栽培装置をビニルハウス内に設置した例を表す図である。
【図１１】灌水樋に栽培槽を固定した例を表す図である。
【図１２】図１０の植物栽培装置において栽培したサラダナを表す図である。
【図１３】図１０の植物栽培装置において栽培したサンチュを表す図である。
【図１４】本発明の実施形態４に係る植物栽培装置でサラダナを栽培している様子を表す図である。
【図１５】従来のＮＦＴ方式で使用される植物栽培装置の構成を表す模式図である。
【符号の説明】
１，１’  植物栽培装置
２  架台
２ａ  支柱
２ｂ，２ｃ  梁
３  フック
４，５  灌水樋
６  排水管
７  給水管
８  灌水ポンプ
９  タンク
１０  排水管
１１  栽培槽
１２  固定具
１３  セル苗
１３ａ  根鉢
１３ｂ  葉茎
１４  栽培用袋
１４ａ  苗挿入口
１５  保水材
２０  植物栽培装置
２１  給水管
２２ａ〜２２ｆ  電磁開閉弁
２３  排水管
２４  制御回路
２５ａ〜２５ｆ  栽培棚
３１，３２  給水樋
３３  毛管給水材
４０  水耕栽培ベッド
４１  容器
４１ａ  排水口
４２  保水性シート
４３  遮根シート
４４  排水樋
【図１】
2005000018.tif 000003
【図２】
2005000018.tif 000004
【図３】
2005000018.tif 000005
【図４】
2005000018.tif 000006
【図５】
2005000018.tif 000007
【図６】
2005000018.tif 000008
【図７】
2005000018.tif 000009
【図８】
2005000018.tif 000010
【図９】
2005000018.tif 000011
【図１０】
2005000018.tif 000012
【図１１】
2005000018.tif 000013
【図１２】
2005000018.tif 000014
【図１３】
2005000018.tif 000015
【図１４】
2005000018.tif 000016
【図１５】
2005000018.tif 000017
【手続補正書】
【提出日】平成15年6月16日(2003.6.16)
【手続補正１】
【補正対象書類名】図面
【補正対象項目名】図１
【補正方法】変更
【補正の内容】
【図１】
2005000018.tif 000018
【手続補正２】
【補正対象書類名】図面
【補正対象項目名】図２
【補正方法】変更
【補正の内容】
【図２】
2005000018.tif 000019
【手続補正３】
【補正対象書類名】図面
【補正対象項目名】図３
【補正方法】変更
【補正の内容】
【図３】
2005000018.tif 000020
【手続補正４】
【補正対象書類名】図面
【補正対象項目名】図６
【補正方法】変更
【補正の内容】
【図６】
2005000018.tif 000021
【手続補正５】
【補正対象書類名】図面
【補正対象項目名】図７
【補正方法】変更
【補正の内容】
【図７】
2005000018.tif 000022
【手続補正６】
【補正対象書類名】図面
【補正対象項目名】図８
【補正方法】変更
【補正の内容】
【図８】
2005000018.tif 000023
【手続補正７】
【補正対象書類名】図面
【補正対象項目名】図９
【補正方法】変更
【補正の内容】
【図９】
2005000018.tif 000024
【手続補正８】
【補正対象書類名】図面
【補正対象項目名】図１５
【補正方法】変更
【補正の内容】
【図１５】
2005000018.tif 000025